(57)【要約】      （修正有）【課題】バックサポートの強度を効率良く向上させる構造を採用することによって軽量化を計るとともに、ハイバックの変形特性を使用者の好みや滑走内容等に応じて容易に設定することができるスノーボードビンディングを提供する。【解決手段】バックサポート３が、バックサポート本体６と、バックサポート本体６に固定される補強部材７と、を有し、補強部材７の下方部をバックサポート本体６の後面に当接した状態で固定するとともに、補強部材７の上方部をバックサポート本体６の後面から後方に離間した状態で固定する。【選択図】図１
2015134093.tif 000002
【特許請求の範囲】
【請求項１】
スノーボードへの固定手段を有するベースプレート１と、上記ベースプレート１の後端に接続されたバックサポ−ト３と、
ブーツ２を上記ベースプレート１に固定するための締め付け具と、を有し、
上記バックサポートが、バックサポート本体と、上記バックサポート本体に固定される補強部材と、上記バックサポート本体に対する上記補強部材の固定手段を有し、
上記固定手段は、上記補強部材の下方部をバックサポート本体の後面に固定する下方部固定手段と、上記補強部材の上方部をバックサポート本体の後面に固定する上部固定手段と、を有し、
上記上部固定手段は、上記補強部材の上方部をバックサポート本体の後面から後方に離間した状態で固定するように構成されることを特徴とするスノーボード用ビンディング。
【請求項２】
上記上部固定手段が上記バックサポート本体に対する上記補強部材の離間距離を調整する手段を有することを特徴とする請求項１記載のスノーボード用ビンディング。
【請求項３】
上記補強部材は、上記下部固定手段による下方部の固定位置から、左右何れか一方の方向の上方位置に向かう上方延在部と、上記上方延在部の上方位置から左右何れか他方の方向の側面に向かう側方延在部と、を有し、
上記上部固定手段が、上記補強部材の上方延在部の左右何れか一方の方向の上方部と、側方延在部の左右何れか他方の方向の端部を固定するように構成されることを特徴とする請求項１または２記載のスノーボード用ビンディング。
【請求項４】
上記補強部材は、上記下部固定手段による下方部の固定位置から、左右何れか一方の方向の上方位置に向かう上方延在部と、上記上方延在部の中間位置から左右何れか他方の方向の側面に向かう側方延在部と、を有し、
上記上部固定手段が、上記補強部材の上方延在部の左右何れか一方の方向の上方部と、側方延在部の左右何れか他方の方向の端部を固定するように構成されることを特徴とする請求項１または２記載のスノーボード用ビンディング。
【請求項５】
上記補強部材は、上記下部固定手段による下方部の固定位置から、左右中間位置の上方位置に向かう上方延在部と、上記上方延在部の上方位置から左右方向に夫々向かう側方延在部と、を有し、
上記上部固定手段が、上記補強部材の側方延在部の左右夫々の端部を固定するように構成されることを特徴とする請求項１または２記載のスノーボード用ビンディング。
【請求項６】
上記補強部材は、上記下部固定手段による下方部の固定位置から、左右中間位置の上方位置に向かう上方延在部と、上記上方延在部の上方位置に形成されるリング状部と、を有し、上記上部固定手段が、
上記補強部材のリング状部の左右夫々の位置を固定するように構成されることを特徴とする請求項１または２記載のスノーボード用ビンディング。
【請求項７】
上記補強部材は、上記下部固定手段による下方部の固定位置から、左右中間位置の上方位置に向かう上方延在部と、上記上方延在部の上方位置に幅広部が形成され、
上記上部固定手段が、上記補強部材の幅広部の左右夫々の位置を固定するように構成されることを特徴とする請求項１または２記載のスノーボード用ビンディング。
【請求項８】
上記補強部材が複数の部材から構成され、夫々の上記補強部材が上記下部固定手段による下方部の固定位置から上方位置に向かう上方延在部を有し、
上記上方延在部の上方位置が、上記上部固定手段によって上記バックサポート本体に固定されるように構成されることを特徴とする請求項１または２記載のスノーボード用ビンディング。
【発明の詳細な説明】
【技術分野】
【０００１】
本発明はスノーボードにブーツを保持するためのビンディングに関するものである。
【背景技術】
【０００２】
登録実用新案３０８９８０２号公報には、スノーボード用ビンディング１のハイバック４００（バックサポート）が少なくとも第１の領域４０１と第２の領域４０２からなる２つ以上の材料を一体構造に組み合わせた、剛性と柔軟性との所望の混合を達成するスノーボード用ビンディングが開示されている。
【０００３】
しかしながら、上記ハイバック４００（バックサポート）は、第１の領域４０１と第２の領域４０２からなる２つ以上の材料を一体に組み合わせており、複数の交換可能なカセット（第１の領域）を用いて調節し得る技術が開示されているものの、第１の領域に対する第２の領域の配置位置を略同一曲面上から離間して立体的に配置することによってハイバック４００の剛性を上げる技術は開示されておらず、更に、第１の領域に対する第２の領域の位置を調節して上記ハイバック（バックサポート）の剛性や変形特性を変更することもできない。
【先行技術文献】
【特許文献】
【０００４】
【特許文献１】登録実用新案３０８９８０２号公報
【発明の概要】
【発明が解決しようとする課題】
【０００５】
本発明のスノーボード用ビンディングは、バックサポートをバックサポート本体と補強部材の組合せにより構成し、バックサポートの強度を効率良く向上させる構造を採用することによって軽量化を計るとともに、ハイバックの剛性や変形特性を使用者の好みや滑走内容等に応じて、製品のモデル展開を容易にする、もしくは使用者が容易に変更、設定することができるスノーボードビンディングを得ることを課題とする。
【課題を解決するための手段】
【０００６】
本発明のスノーボード用ビンディングは、スノーボードへの固定手段を有するベースプレート１と、上記ベースプレート１の後端に接続されたバックサポ−ト３と、ブーツ２を上記ベースプレート１に固定するための締め付け具と、を有し、上記バックサポートが、バックサポート本体と、上記バックサポート本体に固定される補強部材と、上記バックサポート本体に対する上記補強部材の固定手段を有し、上記固定手段は、上記補強部材の下方部をバックサポート本体の後面に固定する下方部固定手段と、上記補強部材の上方部をバックサポート本体の後面に固定する上部固定手段と、を有し、上記上部固定手段は、上記補強部材の上方部をバックサポート本体の後面から後方に離間した状態で固定するように構成されることを特徴とする。
【０００７】
更に、上記上部固定手段が上記バックサポート本体に対する上記補強部材の離間距離を調整する手段を有すると良い。
【０００８】
更に、上記補強部材は、上記下部固定手段による下方部の固定位置から、左右何れか一方の方向の上方位置に向かう上方延在部と、上記上方延在部の上方位置から左右何れか他方の方向の側面に向かう側方延在部を有し、上記上部固定手段が、上記補強部材の上方延在部の左右何れか一方の方向の上方部と、側方延在部の左右何れか他方の方向の端部を固定するように構成されると良い。
【０００９】
また、上記補強部材は、上記下部固定手段による下方部の固定位置から、左右何れか一方の方向の上方位置に向かう上方延在部と、上記上方延在部の中間位置から左右何れか他方の方向の側面に向かう側方延在部を有し、上記上部固定手段が、上記補強部材の上方延在部の左右何れか一方の方向の上方部と、側方延在部の左右何れか他方の方向の端部を固定するように構成しても良い。
【００１０】
また、上記補強部材は、上記下部固定手段による下方部の固定位置から、左右中間位置の上方位置に向かう上方延在部と、上記上方延在部の上方位置から左右方向に夫々向かう側方延在部を有し、上記上部固定手段が、上記補強部材の側方延在部の左右夫々の端部を固定するように構成しても良い。
【００１１】
また、上記補強部材は、上記下部固定手段による下方部の固定位置から、左右中間位置の上方位置に向かう上方延在部と、上記上方延在部の上方位置に形成されるリング状部を有し、上記上部固定手段が、上記補強部材のリング状部の左右夫々の位置を固定するように構成しても良い。
【００１２】
また、上記補強部材は、上記下部固定手段による下方部の固定位置から、左右中間位置の上方位置に向かう上方延在部と、上記上方延在部の上方位置に幅広部が形成され、上記上部固定手段が、上記補強部材の幅広部の左右夫々の位置を固定するように構成しても良い。
【００１３】
また、上記補強部材が複数の部材から構成され、夫々の上記補強部材が上記下部固定手段による下方部の固定位置から上方位置に向かう上方延在部を有し、上記上方延在部の上方位置が、上記上部固定手段によって上記バックサポート本体に固定されるように構成しても良い。
【発明の効果】
【００１４】
本発明のスノーボード用ビンディングのバックサポートは、上記下部固定手段によって上記補強部材の下方部がバックサポート本体の後面に当接した状態で固定されるため、使用時に、ベースプレートの後端部分に形成されたバックサポート受部による保持力を上記補強部材の下方部を介して、バックサポート本体に効率的に伝えることができる。
【００１５】
更に、上部固定手段によって、上記補強部材の上方部をバックサポート本体の後面から後方に離間した状態で固定するため、上記補強部材とバックサポート本体の後面が合体した状態で固定される既存の補強部材の配置構造と比較して、バックサポートの断面係数が上昇し、同じ材料を用いた場合の変形に対する強度を格段に向上させることができるため、同じ強度を出す際には少ない材料で構成することができるため、スノーボードビンディングを軽量化させることができる。
【００１６】
更に、バックサポート本体に対する上記補強部材の上方部固定位置において上記補強部材とバックサポート本体間の距離を調整可能に構成することによって、使用者の好みや、滑走内容に応じて、バックサポートの変形に対する特性を容易に調整することができるようにすることができる。
【図面の簡単な説明】
【００１７】
【図１】本発明の実施例に係るスノーボード用ビンディングのバックサポート部の背面図である。
【図２】本発明の実施例に係るスノーボード用ビンディングのバックサポート部の側面図である。
【図３】本発明の実施例に係るスノーボード用ビンディングのバックサポート部のＡＡ線断面図である。
【図４】本発明の実施例に係るスノーボード用ビンディングのバックサポート部のＢＢ線断面の拡大図である。
【図５】本発明の実施例に係るスノーボード用ビンディングのバックサポート部のＣＣ線断面の拡大図である。
【図６】本発明の実施例に係るスノーボード用ビンディングの斜視図である。
【図７】本発明の実施例に係るスノーボード用ビンディングのバックサポート部にスペーサを配置したＢＢ線断面図である。
【図８】本発明の実施例に係るスノーボード用ビンディングのバックサポート部の固定手段の変形例を示すＢＢ線断面である。
【図９】本発明の実施例に係るスノーボード用ビンディングのバックサポート部の固定手段の変形例を示す分解図である。
【図１０】本発明の実施例に係るスノーボード用ビンディングのバックサポート部の固定手段の変形例を示すスペーサを配置したＢＢ線断面である。
【図１１】本発明の実施例に係るスノーボード用ビンディングのバックサポート部の固定手段の変形例を示す複数のスペーサを配置したＢＢ線断面である。
【図１２】本発明の実施例に係るスノーボード用ビンディングのバックサポート部の固定手段の更なる変形例を示すＢＢ線断面である。
【図１３】本発明の実施例に係るスノーボード用ビンディングのバックサポート部の固定手段の更なる変形例を示すＢＢ線断面である。
【図１４】本発明の実施例に係るスノーボード用ビンディングのバックサポート部の補強部材の変形例を示す背面図である。
【図１５】本発明の実施例に係るスノーボード用ビンディングのバックサポート部の補強部材の変形例を示す背面図である。
【図１６】本発明の実施例に係るスノーボード用ビンディングのバックサポート部の補強部材の変形例を示す背面図である。
【図１７】本発明の実施例に係るスノーボード用ビンディングのバックサポート部の補強部材の変形例を示す背面図である。
【図１８】本発明の実施例に係るスノーボード用ビンディングのバックサポート部の補強部材の変形例を示す背面図である。
【図１９】本発明の実施例に係るスノーボード用ビンディングのバックサポート部の補強部材の変形例を示す背面図である。
【図２０】従来技術のスノーボード用ビンディングのバックサポート部の分解斜視図である。
【発明を実施するための形態】
【００１８】
本発明の第１実施例におけるスノーボード用ビンディング１は、図１〜図６に示すように、底面中央部にスノーボード２００との固定手段を有し金属もしくは硬質の合成樹脂等の剛性を有する素材で形成されるベースプレート２と、上記ベースプレート２の後端に下端部が接続されるバックサポ−ト３と、ブーツ３００の甲を締め付けるアンクルストラップ４と、ブーツ３００の爪先を締付けるトゥーストラップ５と、を有する。
【００１９】
上記バックサポート３は、下端に左右一対の上記ベースプレート２に対する軸支部３１が形成され、ブーツ３００の後端部を支持するように構成されるバックサポート本体６と、上記バックサポート本体６に固定される補強部材７と、上記バックサポート本体６に対する上記補強部材７の固定手段を有し、上記固定手段は、上記補強部材７の下方部をバックサポート本体６の後面に当接した状態で固定する下部固定手段８と、上記補強部材７の上方部をバックサポート本体６の後面から後方に離間した状態で固定する上部固定手段９と、を有する。
【００２０】
上記補強部材７は、上記下部固定手段８による下方部の固定位置から、左右何れか一方の方向の上方位置に向かう上方延在部７１と、上記上方延在部７１の上方位置から左右何れか他方の方向の側面に向かう側方延在部７２と、を有し、上記上部固定手段９が、上記補強部材７の上方延在部７１の左右何れか一方の方向の上方部と、側方延在部７２の左右何れか他方の方向の端部を固定するように構成される。
【００２１】
上記補強部材７の下方部の上下および左右方向に離間する２箇所の位置には孔７３が形成され、上記バックサポート本体６の上記補強部材７の孔７３と対応する位置には孔６３が形成され、更に上記バックサポート本体６の上記孔６３の形成位置の内側面（ブーツとの当接面）には、リベットのカシメ部を収納可能な保持部６１が形成され、上記下部固定手段８は、上記補強部材７の孔７３と、上記バックサポート本体６の孔６３を夫々貫通して固定するリベット８１より構成される。尚、上記補強部材７とバックサポート本体６の下部位置の固定は、上記リベット８１を用いる代わりに、ナットとボルトの組み合わせなど、他の既存の固定手段を用いても良く、その場合には上記バックサポート本体６の保持部６１は、ナットもしくはボルトの頭部が保持可能な形状に形成される。（図示せず）また、他の下部固定手段の構成として、バックサポート本体６に溝部を形成し、上記溝部に上記補強部材７の下端部を差し込んで固定するように構成しても良い。（図示せず）
【００２２】
上記補強部材７の上方延在部７１の上方位置と、側方延在部の遊端位置には夫々孔７６が形成され、上記バックサポート本体６の上記補強部材７の孔７６と対応する位置には夫々孔６６が形成され、更に上記バックサポート本体６の上記孔６６の形成位置の内側面（ブーツとの当接面）には、リベットのカシメ部を収納可能な保持部６５が形成され、上記上部固定手段９は、上記補強部材７の孔７６と、上記バックサポート本体６の孔６６を夫々貫通して固定するリベット８２より構成され、上記補強部材７の孔７６と、上記バックサポート本体６の孔６６を夫々リベット８２で固定する際に、図７に示すように、上記補強部材７と上記バックサポート本体６間に円筒状のスペーサ８３を配置すれば、上方位置における上記補強部材７と上記バックサポート本体６離間距離が大きくなり、上記スペーサ８３を配置しない場合と比較して、上記バックサポート３の剛性を高い設定にすることができる。
【００２３】
尚、上記補強部材７とバックサポート本体６の上部位置の固定は、上記リベット８２を用いる代わりに、図８〜図１１に示すように、ナット８４とボルト８５の組み合わせなど、他の既存の固定手段を用いても良く、その場合には上記バックサポート本体６の保持部６５は、ナット８４および、もしくはボルト８５の頭部８６が保持可能な形状に形成され、上記スペーサ８３を複数のリング状部材で構成し、使用する枚数を調整することによって、スペーサ８３の合計長さを変更し、上方位置における上記補強部材７と上記バックサポート本体６離間距離に応じて、上記バックサポート３の剛性（変形に対する特性）の設定を変更することができる。
【００２４】
また、上記スペーサ８３の長さや硬さの異なるものに交換することによっても、上記バックサポート３の剛性（変形に対する特性）を使用者の滑り方や好みに合わせて調整することができる。
【００２５】
また、図１２、図１３に示すように、上記補強部材７とバックサポート本体６間の距離を調整可能に構成する場合は、上記バックサポート本体６の保持部６５でボルト８５の頭部８６を保持し、補強部材７の外側位置にノブ８７を介して上記ナット８４を配置すると、上記補強部材７とバックサポート本体６間の距離の調整が容易となる。また、その際、上記スペーサにコイルスプリング等の弾性部材８８を使用することによって、上記スペーサを交換しなくても、上記補強部材７とバックサポート本体６間の距離を調整することが可能になる。尚、図１２、図１３において上記弾性部材８８と補強部材７間にはワッシャ８９が配置されるが、上記ワッシャ８９は必ずしも配置しなくても良く、また、上記弾性部材８８とバックサポート本体６間に配置することもできる。尚、上記弾性部材８８はコイルスプリングの代わりにゴムやポリウレタンエラストマ等の他の弾性部材を用いても良い。
【００２６】
また、上記補強部材７の断面形状、肉厚形状は、要求されるバックサポート３の変形特性に対応するために、自在に設計することができ、上記バックサポート本体６および、もしくは上記補強部材７は、基本的には左足固定用のスノーボード用ビンディング１と右足固定用のスノーボード用ビンディング１で、左右対称形状に形成されるが、滑走種目の必要な特性に応じて、左足固定用のスノーボード用ビンディング１と右足固定用のスノーボード用ビンディング１を、夫々左右を非対称形状に形成しても良い。
【００２７】
また、バックサポート本体６と、上記補強部材７の材質は、同一の材料で形成しても良いが、一般的には、バックサポート本体６の材質は、ポリウレタンエラストマやポリプロピレンなど、滑走時の温度での硬度特性の変化が少なく、ある程度柔軟性と強度を併せ持つ材料を使用することが望ましく、上記補強部材７の材質は、カーボン複合素材や、グラスファイバー素材など、剛性とバネ性を兼ね備えた材料を使用することが望ましく、また、金属を用いても良い。
【００２８】
本発明のスノーボード用ビンディング１のバックサポート３は、上記下部固定手段８によって上記補強部材７の下方部が上記バックサポート本体６の後面に当接した状態で固定されるため、使用時にベースプレート２の後端部分に形成されたバックサポート受部２１による保持力を、上記補強部材７の下方部を介して、バックサポート本体６に効率的に伝えることができる。尚、上記補強部材７の下方部と上記バックサポート本体６の後面を離間した状態で固定しても良い。
【００２９】
更に、上部固定手段９によって、上記補強部材７の上方部をバックサポート本体６の後面から後方に離間した状態で固定するため、上記補強部材７とバックサポート本体６の後面が合体した状態で固定される既存の補強部材の配置構造と比較して、バックサポート３の断面係数が上昇し、同じ材料をバックサポート３の剛性を格段に向上させることができるため、同じ強度を出す際には少ない材料で構成することができるため、スノーボードビンディングを軽量化させることができる。
【００３０】
更に、バックサポート本体６に対する上記補強部材７の補強効果は、上方延在部７１の固定位置よりも上記側方延在部７２の固定位置の方が弱くなるため、上記バックサポート３の左右方向に対する変形特性の設定が容易になる。
【００３１】
更に、本実施例の変形例では、上方部の固定位置において上記補強部材７とバックサポート本体６間の離間距離を調整可能に構成されるため、使用者の好みや、滑走内容に応じて、バックサポート３の変形に対する特性を容易に調整することができるようになる。尚、上記上部固定手段９による上記バックサポート本体６と上記補強部材７間の距離が大きいほど上記バックサポート３の、各固定位置間の剛性が上がり、各固定位置間においてバックサポート３が硬くなり、逆に上記バックサポート本体６と上記補強部材７間の距離が小さくなれば、各固定位置間においてバックサポート３を柔らかくすることができる。
【００３２】
本実施例の変形例として、図１４に示すように、補強部材１０１は、上記下部固定手段８による下方部の固定位置から、左右何れか一方の方向の上方位置に向かう上方延在部１０２と、上記上方延在部１０２の中間位置から左右何れか他方の方向の側面に向かう側方延在部１０３とを有し、上記上部固定手段９が、上記補強部材１０１の上方延在部１０２の左右何れか一方の方向の上方部と、側方延在部１０３の左右何れか他方の方向の端部を上記バックサポート本体６に対して離間状態で固定するように構成しても良い。
【００３３】
本実施例の更なる変形例として、図１５に示すように、補強部材１１１は、上記下部固定手段８による下方部の固定位置から、上方位置に向かう上方延在部１１２と、上記上方延在部１１２の上方位置から左右方向に夫々向かう側方延在部１１３とを有し、上記上部固定手段９が、上記補強部材１１１の側方延在部１１３の左右夫々の端部を上記バックサポート本体６に対して離間状態で固定するように構成しても良い。
【００３４】
本実施例の更なる変形例として、図１６に示すように、補強部材１２１は、上記下部固定手段８による下方部の固定位置から、左右中間位置の上方位置に向かう上方延在部１２２と、上記上方延在部１２２の上方位置に形成されるリング状部１２３とを有し、上記上部固定手段９が、上記補強部材１２１のリング状部１２３の左右夫々の位置を上記バックサポート本体６に対して離間状態で固定するように構成しても良い。
【００３５】
本実施例の更なる変形例として、図１７に示すように、補強部材１３１は、上記下部固定手段８による下方部の固定位置から、左右中間位置の上方位置に向かう上方延在部１３２と、上記上方延在部１３２の上方位置に幅広部１３３が形成され、上記上部固定手段９が、上記補強部材１３１の幅広部１３３の左右夫々の位置を上記バックサポート本体６に対して離間状態で固定するように構成しても良い。
【００３６】
本実施例の更なる変形例として、図１８、図１９に示すように、補強部材を複数の部材１４１ａ、１４１ｂから構成しても良く、図１８では、夫々の上記補強部材１４１ａ、１４１ｂが上記下部固定手段８による下方部の固定位置から上方位置に向かう上方延在部１４２ａ、１４２ｂを有し、上記上方延在部１４２ａ、１４２ｂの上方位置が、上記上部固定手段９によって上記バックサポート本体６に対して離間状態で固定するように構成しても良い。
【００３７】
尚、本発明のバックサポート本体６および補強部材７、１０１、１１１、１２１、１３１、１４１ａ、１４１ｂは上記各実施例で示す形状限定されず、肉厚の変化やリブ等の補強構造の有無を含め、バックサポート３に求められる必要な変形特性ならびにデザイン性を考慮して自由に設定することができる。
【産業上の利用可能性】
【００３８】
本発明のスノーボード用ビンディングは、バックサポートに複数の部材を立体的に配置することによって、構造上の剛性を高め、軽量化や変形特性の設定が容易なスノーボード用ビンディングとして、産業上有効に利用することができる。
【符号の説明】
【００３９】
１：ビンディング、２：ベースプレート、３：バックサポート、４：アンクルストラップ、５：トゥーストラップ、６：バックサポート本体、７：補強部材、８：下部固定手段、９：上部固定手段、２１：バックサポート受部、３１：軸支部、６１：保持部、６３：孔、６５：保持部、６６：孔、７１：上方延在部、７２：側方延在部、７３：孔、７６：孔、８１：リベット、８２：リベット、８３：スペーサ、８４：ナット、８５：ボルト、８６：頭部、８７：ノブ、８８：弾性部材、８９：ワッシャ、１０１：補強部材、１０２：上方延在部、１０３：側方延在部、１１１：補強部材、１１２：上方延在部、１１３：側方延在部、１２１：補強部材、１２２：上方延在部、１２３：リング状部、１３１：補強部材、１３２：上方延在部、１３３：幅広部、１４１ａ：補強部材、１４１ｂ：補強部材、１４２ａ：上方延在部、１４２ｂ：上方延在部、２００：スノーボード、３００：ブーツ、４００：ハイバック、４０１：第１の領域、４０２：第２の領域
【図１】
2015134093.tif 000003
【図２】
2015134093.tif 000004
【図３】
2015134093.tif 000005
【図４】
2015134093.tif 000006
【図５】
2015134093.tif 000007
【図６】
2015134093.tif 000008
【図７】
2015134093.tif 000009
【図８】
2015134093.tif 000010
【図９】
2015134093.tif 000011
【図１０】
2015134093.tif 000012
【図１１】
2015134093.tif 000013
【図１２】
2015134093.tif 000014
【図１３】
2015134093.tif 000015
【図１４】
2015134093.tif 000016
【図１５】
2015134093.tif 000017
【図１６】
2015134093.tif 000018
【図１７】
2015134093.tif 000019
【図１８】
2015134093.tif 000020
【図１９】
2015134093.tif 000021
【図２０】
2015134093.tif 000022